(57)【特許請求の範囲】
【請求項１】
車両に接続される少なくとも２つの車輪マウントとともに用いられる手動操作式の車輪固定システムであって、
車輪と、前記車輪マウントに取り付け可能なハブ及びハブ軸と、該ハブ軸内に同心状に取り付けられる車輪スキュアと、該車輪スキュアの一端に配置される主ロック及び二次保持装置と、前記車輪スキュアの他端に配置される保持部材とを備え、
前記主ロックは、前記車輪スキュアの一端に軸方向の力を加えて前記ハブ軸を前記車輪マウントにロックし、
前記二次保持装置は、前記車輪が前記車輪マウントに入ると、前記車輪を両方の前記車輪マウント上に保持するように自動的に係合する手段を備え、
前記車輪を取り外せるようにするためには、前記二次保持装置の係合を手動操作によって解除しなければならない、手動操作式の車輪固定システム。
【請求項２】
前記自動的に係合する手段は、前記車輪スキュアを前記ハブに対して軸方向に一端に向かって移動するように付勢する少なくとも１つのばねを備え、前記主ロック及び前記二次保持装置はいずれも、前記車輪スキュアの同じ端から、車輪取り外しのために操作される、請求項１に記載の手動操作式の車輪固定システム。
【請求項３】
前記二次保持装置は、前記ハブ軸が前記車輪マウントに入ると、前記ハブ軸を前記車輪マウント上に保持するように前記ばねの作用によって自動的に係合する、請求項２に記載の手動操作式の車輪固定システム。
【請求項４】
前記自動的に係合する手段は、前記主ロックの解除後に前記車輪マウントからの車輪の初期取り外し運動中に前記二次保持装置が手動で係脱された状態にあるときに、前記車輪を前記車輪マウントから取り外すことを可能にするように構成される、請求項１に記載の手動操作式の車輪固定システム。
【発明の詳細な説明】
【技術分野】
【０００１】
［発明の背景］
本発明は、包括的には自転車等の車輪付き車両（wheeled vehicle）に関する。特に、本発明は、工具を用いずに車輪ハブの片側のみでの操作によって車輪を容易に取り外すことができるが、車輪が車輪マウントから不用意に離脱することのない、中空軸車輪を車輪マウントに取り付ける装置及び方法に関する。
【０００２】
本願は、２００５年９月７日に出願された、「Quick Release Bicycle Wheel」と題する米国特許出願第１１／２１９，６５２号の一部継続出願である。
【背景技術】
【０００３】
市場に出ているほとんどの高品質自転車は、クイックレリーズ前輪（場合によっては後輪）を備えている。これらの自転車は、クイックレリーズカムが緩んでいる場合でも両端で車輪スキュアを、したがって車輪を保持する凹んだ車輪マウント（又はドロップアウト）、又は小さなタブを含む、前輪の望ましくない離脱を回避する標準的な方法を用いる。本明細書で用いる場合、「スキュア」又は「車輪スキュア」という用語は、当業界では「支軸」、「ドローバー(draw bar)」、「連結棒」、「制御軸」、及び「保持棒」としても知られている。
【０００４】
現在市場に出ている自転車では、スキュアは中空ハブ軸内に同心状に取り付けられ、一端にはクイックレリーズカムが設けられ、他端には調整ねじナットが設けられる。スキュアアセンブリは、各側に１つずつの２つの円錐ばねによって車輪ハブ内に横方向にセンタリングされており、円錐ばねは、互いに逆方向に、一方がクイックレリーズカムを、他方がナットを外方に押す。クイックレリーズカムは、ロックされると、スキュアを外方に引くことにより、ドロップアウトに対して内方に押し進むとともに、遠位にあるナットが反対側のドロップアウトに対して内方に押し進むようにする。
【０００５】
このように、ドロップアウトは、ハブの片側ではクイックレリーズカムとハブとの間に固定され、ハブの反対側ではナットとハブとの間に固定される。大半の自転車のドロップアウトには、隆起タブが設けられるか、又は多くの場合、クイックレリーズ及びプッシュナット（nut push）がドロップアウト表面の残りの部分よりも凹んでいる表面が設けられる。クイックレリーズカムを開く１回のプロセスでは、クイックレリーズ及びナットが凹部又はタブを離れてドロップアウトから出ることを可能にするのに十分な「移動距離（throw）」が得られない。したがって、クイックレリーズを片手で持ちながら、ナットをねじ付きスキュアからさらに緩めなければならず、その後で初めて車輪をドロップアウトから取り外すことができる。このようにして、前輪の不用意な離脱が通常は回避される。
【０００６】
しかしながら、車輪をドロップアウトに再挿入するとき、調整ナットは緩んだままであり、車輪は自転車又は他の車輪付き車両に取り付けられているように見えるがそうではない。この「危険な状態」では、自転車は乗車可能に見えるが、前輪が車輪フォークから離脱しやすいため、極めて危険である。クイックレリーズ及びナットの状態をよく見さえすれば、乗り手には車輪が乗車用に固定されていないことが分かるであろう。
【０００７】
要するに、現在の自転車で用いられているシステムは、乗り手が調整ナットを締めてからクイックレリーズをロックするのを忘れないことに依存している。さらに、これを行うために、乗り手は片手で自転車を支えて別の手で自転車の片側のクイックレリーズを持ち、さらに別の手で自転車の反対側の調整ナットを回さなければならず、手が２つしかない普通の乗り手にはどうやっても車輪を安全に固定するプロセスが困難になる。さらに、クイックレリーズカムが適切に動作するように正しい張力までナットを調整するプロセスは、多くの乗り手にとって困難であることが分かる。
【０００８】
これらの問題を少しでも解決するためにいくつかの試みがなされてきたが、「危険な状態」の回避及び両手のみでのプロセスの容易な実行のいずれに対しても、満足のいく解決策を与えるものはなかった。
【０００９】
最近では、適切なクイックレリーズカムロックのために正しい張力まで、調整可能ナットを調整する必要のないシステムを提供するために、多くの試みがなされてきた（第６，２６０，９３１号（Stewart）、第６，２４１，３２２号（Phillips）、第５，９６１，１８６号（Phillips）、第５，６７３，９２５号（Stewart）、第５，６５３，５１２号（Phillips）、及び第５，１２１，９７３号（Phillips）を参照。）。‘９７３号特許は、車輪の片側から操作される主ロック装置を有する。
【００１０】
米国特許第６，２６０，９３１号（Stewart）は、クイックレリーズカムレバーが閉位置に付勢されるばね付勢式であるクイックレリーズ自転車車輪を開示している。調整ナットを緩めすぎないと仮定すれば、この装置が「危険な状態」の回避の問題を解決する。しかしながら、車輪を自転車に装着するために、作業者は片手で自転車を持ち、別の手でクイックレリーズレバーを係合したまま保持し、第３の手で車輪を挿入しなければならず、これは普通の乗り手には困難であることが分かるであろう。説明書がない場合、乗り手はフォークに車輪を装着するために調整ナットを緩めてからクイックレリーズレバーを「蝶ナット」ハンドルとして用いるかもしれない可能性がある。
【００１１】
米国特許第６，２４１，３２２号（Phillips）は、正しいクイックレリーズカム固定のために調整可能ナットを締結しなければならない距離を固定することによって、車輪フォークへの車輪の装着が若干容易になるクイックレリーズ自転車車輪を開示している。しかしながら、この装置では、「危険な状態」は回避されず、ナットが緩みすぎてスキュアから落ちることも防止されない。
【００１２】
米国特許第６，０８９，６７５号（Schlanger）は、車輪が一方のドロップアウトの、より従来的なスロットと、他方のドロップアウトのねじ孔とに取り付けられる発明を開示している。軸／スキュアは、一端に大きなノブを、他端にねじ領域を備える。このシステムでも、車輪が乗車用に車輪フォークに取り付けられているように見えるかもしれないが固定されていない「危険な状態」が回避されない。
【００１３】
米国特許第５，９６１，１８６号（Phillips）、米国特許第５，６７３，９２５号（Stewart）、及び米国特許第５，６５３，５１２号（Phillips）は全て、軸スキュアのクイックレリーズカムとは反対側にエキスパンディングナットがあるという本質的に同じ概念を開示している。このナットは、回転によって、又は乗り手が行う押し／引き動作によって幅が狭まることにより、ナット及び反対側のクイックレリーズが安全タブを離れて車輪が取り外されることを可能にする。これら３つの装置は全て、乗り手が車輪の片側にあるクイックレリーズカムをロック解除してから、車輪の反対側に移動して反対側のナットの幅を狭めることを必要とする。
【００１４】
自転車車輪が不用意に外れないことを確実にしつつ自転車からの容易な取り外しを可能にするシステムを設計するために、様々な他の努力がなされてきた。使い易さ及び絶対的な安全性の両方を提供するものはなかった。例えば、米国特許第５，５７６，０２０号は、取り付け及び取り外しの両方を行うために車輪の両側で操作が行われる、手動操作式の主ロック装置及び二次ロック装置を用いた手法を定義している。
【００１５】
【特許文献１】米国特許第６，２６０，９３１号明細書
【特許文献２】米国特許第６，２４１，３２２号明細書
【特許文献３】米国特許第６，０８９，６７５号明細書
【特許文献４】米国特許第５，９６１，１８６号明細書
【特許文献５】米国特許第５，６７３，９２５号明細書
【特許文献６】米国特許第５，６５３，５１２号明細書
【特許文献７】米国特許第５，１２１，９７３号明細書
【発明の開示】
【発明が解決しようとする課題】
【００１６】
本発明の目的は、操作が簡単であり、安全であり、経験不足な乗り手が説明書なしで容易且つ直観的に使用できる、車輪レリーズシステムを提供することである。さらに、システムは、軽量であり、単純であり、製造費用が安くなければならない。
【課題を解決するための手段】
【００１７】
この目的は、車輪の片側での手動操作によって車輪を容易に取り外すことができるが、車輪との係合中は常に不用意な離脱が防止されるシステムで達成される。中空軸内に同心状に取り付けられる横方向移動スキュアは、一端に「ノンタッチ」ナットが設けられ、他端のクイックレリーズカムに向かってばね付勢される。車輪を取り外すためには、クイックレリーズカムを操作し、場合によっては次にカムをスピンさせて調整ナットを緩め、次にカム側アセンブリを軸方向内方に握り且つ／又は押して、この位置で保持しながら、車輪をフォークドロップアウトから取り外す。車輪を車輪フォークに再び挿入すると、スキュアはドロップアウトに自動的にロックされ、その後、使用者がクイックレリーズカムを誤って開いたままにした場合でも、車輪は多少緩いが車輪マウントに安全に挿入されたままとなる。このように、自転車又は車輪付き車両が安全に乗車できるように見える場合、実際に安全に乗車できる。
【００１８】
本発明とともに用いられるフォークドロップアウトは、大半の自転車で見られる標準的な種類のものであってもよく、又はドロップアウトの外面、また所望であれば内面にランプすなわち傾斜（ramp）が設けられてもよい。ランプを用いない場合でも、乗り手は片手で自転車を支えて他方の手でクイックレリーズ及び安全シリンダを握って保持しながら、車輪ハブをドロップアウトに挿入することができる。車輪が挿入されて、乗り手がカム及び安全シリンダを握ることをやめると、車輪はドロップアウトに自動的にロックされる。ドロップアウトにランプが設けられている場合、ばね付勢式のクイックレリーズカムアセンブリがランプに沿って進み、ハブ軸がドロップアウトの乗車位置に入ると自動的にロックされる。このシステムは、車両又は自転車の前輪及び後輪の両方で、或いは車両又は自転車の車輪若しくは車輪マウントを別の車両又は自転車に留めるシステムで用いることができる。
【発明を実施するための最良の形態】
【００１９】
以下は、本発明の好ましい実施形態の詳細な説明である。本発明にいかなる変更を加えてもよく、こうした変更は具体的に示されていなくても本発明内にあるものとすることは、当業者には明らかである。
【００２０】
本発明の基本原理は、２つの車輪マウントすなわちドロップアウトを有する車輪フォーク又は車両フレームを含み、ドロップアウトはそれぞれ、外面若しくは内面、又は両面に凹面又は保持タブを有する。クイックレリーズ車輪は、中空軸ハブ及び内部に取り付けられたスキュアを有し、当該スキュアは、一端にクイックレリーズカム又は他の固定装置を、他端にナットを有し、クイックレリーズ端に向かってばね付勢されるため、ナットが隣接するドロップアウト凹面に対して常に付勢されて押し込まれることで、回転及び凹部から出ることが防止される。スキュアのクイックレリーズ端では、何らかの形の安全装置もばねによって凹部に押し込まれる。このように、クイックレリーズ端を軸方向内方に押してナットをその凹部領域から出さない限り、いずれの端もドロップアウトから出ることはできない。場合によっては、スキュアのクイックレリーズ端にある安全装置は、ナットとは別に操作されなければならず、場合によっては、安全装置は、車輪をドロップアウトから取り外すことを可能にする装置と同じ動きで操作することができる。
【００２１】
図１〜図８は、クイックレリーズレバーがロック解除されてスピンされてから内方に押されながら、安全プルシリンダが外方に引かれて車輪の取り外しを可能にする、第１の好ましい実施形態を示す。図１を参照すると、ドロップアウト２を有するフォーク１が、スキュア５を収容する中空軸４を有する標準的なハブ３を保持し、スキュア５は、一端に標準的なクイックレリーズ６及び標準的なクイックレリーズレバー７が、標準的なクイックレリーズばね８とともに取り付けられ、他端には調整ナット９が取り付けられる。この調整ナット９は、従来のシステムとは異なり、作業者が反対端のクイックレリーズをスピンしながら触れたり持ったりする必要のない「ノンタッチ」ナットである。
【００２２】
スキュア５のクイックレリーズ端には、多様な「引っ張り可能な」丸形及び非丸形の形状を取ることができる新規の安全プルシリンダ１０が軸方向に取り付けられて、クイックレリーズばね８によってドロップアウト凹部１１に押し込まれ、クイックレリーズばね８は同様に、調整ナットローレット面１２を反対側のドロップアウト凹部１１に押し当てる。クイックレリーズばね８及び調整ナットローレット面１２からの圧力の組み合わせは、スキュアねじ領域１３上で調整ナット９を緩めるためにクイックレリーズ６をスピンさせるときに調整ナット９がドロップアウト２に対してスピンしないようにする。これにより、従来技術とは異なり、本発明の片側操作が可能になる。調整ナット保持キャップ１４は、調整ナット９がスキュア５の端から抜けないことを確実にする。調整ナット９の側面の空洞にすんなり入る調整ナット保持キャップ１４に突き当たる点まで調整ナット９を緩めると、調整ナット９はそれ以上緩まることができずにスキュア５とともにスピンし始め、調整ナットローレット面１２がドロップアウト凹部１１及びドロップアウト２に対してスピンし始め、多くの場合、クイックレリーズ６において可聴粉砕音及び／又は異なるスピン感覚をもたらすことで、スキュア５が十分に回転しており車輪取り外しのためにさらに回す必要がないことを使用者に示す。
【００２３】
図２は、クイックレリーズカム４１のロック解除動作を示す。多くの場合、これを行っても調整ナット９とクイックレリーズ６との間は十分に離間せず、広スロー（wide throw）クイックレリーズが用いられない場合、車輪を取り外すために調整ナット９とクイックレリーズ６との間の距離をさらに広げるために、図３に示すようにクイックレリーズ６を続いて回転させる必要がある。クイックレリーズ６の回転により、調整ナット９が調整ナット保持キャップ１４又は或る種の別の停止面に突き当たるまで両者間の距離が広がる。
【００２４】
図４は、車輪取り外しプロセスの次のステップを示し、このステップでは、クイックレリーズ６を軸方向内方に押しながら、安全プルシリンダをそれに押し付けることで安全プルシリンダ１０がドロップアウト凹部１１から出てドロップアウト拘束面４４を離れるようにし、調整ナット９もまた対応するドロップアウト凹部１１から出てドロップアウト拘束面４４を同様に離れる。ドロップアウト拘束面４４は、車輪ハブアセンブリがフォークから不用意に離脱することを防止するのに重要な役割を果たす。また、ドロップアウト拘束面４４及びドロップアウト突出面４３は、図示のような凹部側ではなく「タブ」上にあってもよい。図５は、シーケンスの最後であり、スキュア５がドロップアウト開口１５から出て、安全プルシリンダ１０及び調整ナット９がドロップアウト突出面４３を飛び越えたところを示す。この実施形態は、様々な異なるドロップアウト構成とともに用いることができる。図６は、ドロップアウト拘束面４４がドロップアウト凹部１１の下側領域に位置する場合に用いることができる従来のドロップアウト２を示す。
【００２５】
図７は、ドロップアウトランプ１６がドロップアウト２の下側側部に加えられた新規のドロップアウトを示し、この場合、ドロップアウトの先端は、ドロップアウトへの車輪ハブの挿入し易さを最適にする位置に設定されるとともに、危険を避け輸送用カートンを突き刺さないほど十分な「丸み」がある。ドロップアウトのハブ／車輪側のドロップアウトランプ１６は、ハブがドロップアウトに入るときのハブのセンタリングを容易にする役割を果たす。ドロップアウトの外側の非ハブ／車輪側のドロップアウトランプ１６は、安全プルシリンダ１０と調整ナット９との間を広げる役割を果たす。ドロップアウト開口１５のわずかな角度も、開口１５とドロップアウトランプ１６との間のテーパのように、ハブがドロップアウトに入るときのハブのセンタリングを容易にする役割を果たす。
【００２６】
車輪を再装着する場合、プロセスは逆に行われる。しかしながら、ランプ１６が用いられる場合、ランプがクイックレリーズ６を安全プルシリンダ１０に押し付ける機能を果たすため、図５において、手でこの機能を果たす必要がなくなる。車輪がフォーク１に再装着されているとき、このドロップアウトランプ１６は自動的に、調整ナット９と安全プルシリンダ１０とを引き離して、クイックレリーズばね８を圧縮してから上方へ移動してドロップアウト突出面４３を乗り越えた後でクイックレリーズばね８によってドロップアウト凹部１１に引き入れられるようにする。この時点で、クイックレリーズ６及び調整ナット９が全く手動操作されていなくても、車輪をフォークから取り外すことはできない。従来の自転車では、車輪がドロップアウトに再挿入されて安全に乗車できるように見えても、車輪が再びフォークから誤って外れないようにするものはない。これは従来技術を越えて本発明が提供する安全条件である。従来の調整ナットを本発明とともに用いてもよい。しかしながら、調整ナット９を調整ナット保持キャップ１４とともに用いれば、調整ナット９がスキュア５の端から誤って外れるという従来の自転車に共通の問題を引き起こさない点で新規である。
【００２７】
図８は、図３に示すスキュア５が図２に示す位置に締結回転させられると、回転限界制御キャップ停止面５０が調整ナット保持キャップ１４に突き当たることによってそれ以上の締結が阻止される、回転限界制御キャップ４８を有するように変更された調整ナット９を示す。この構成では、クイックレリーズ６は、図示のように図２から図１の状態に移る際にクイックレリーズレバー７を用いてクイックレリーズカム４１を完全に締結するように設定される。回転限界制御キャップ４８は、調整ナット９の外側又は内側にあり得る回転限界制御キャップねじ４９を用いることによって調整ナット９に対して調整されて、正確な設定を達成する。調整ナット保持キャップ１４が回転限界制御キャップ停止面５０に突き当たると、調整ナット９はスキュア５とともに、また表面調整ナットローレット面１２がドロップアウト凹部１１及びドロップアウト２に対してスピンし始め、多くの場合、クイックレリーズ６において可聴粉砕音及び異なるスピン感覚をもたらすことで、スキュア５が十分に回転しておりクイックレリーズレバー７を閉じる準備ができていることを使用者に示す。
【００２８】
したがって、この新規の回転制御システムは、ユーザが調整ナット９に触れることなく動作し、その可動域に予め設定された限界を与えることで、車輪を一端でロックするのに最適なクイックレリーズ機能と、他端で車輪を取り外すときにドロップアウト突出面４３を乗り越えるのに最適なアウトボード設定（outboard setting）とを提供する。このように、これは、車輪を取り外すとき及び車輪を再装着するときの両方で、適切なクイックレリーズカム機能のためにスキュア５のスピンの限界をガイドする「スマート・ノータッチ」ナットである。
【００２９】
図９〜図１５は、より容易な車輪取り外しのためのセンタリング機構が設けられている点を除いて、図１〜図８に示す実施形態と同じ機能を果たす第２の好ましい実施形態を示す。この変形形態は、図１〜図８に示す安全プルシリンダ１０の代わりに２部品安全装置を用いる。図９〜図１３は、この実施形態での車輪の取り外しのシーケンスを示し、この場合、安全システムは、クイックレリーズヘッド６が解除され、回転され、押し込まれている間は内側センタリングシリンダ１８を常にドロップアウト２と接触させることにより、より容易な取り外しのための機構をセンタリングする。外側安全プルシリンダ１７は、車輪取り外しのためにクイックレリーズヘッド６を押すのと同時に逆方向に握られなければならない。次に、内側センタリングシリンダ１８は、ドロップアウト凹部１１に沿って摺動してドロップアウト凹部スライド２１に入り、図１３に示すように車輪ドロップアウト２から逃げる。外側安全プルシリンダ１７は、ドロップアウト凹部スライド２１を通り抜けるには大きすぎるが、内側センタリングシリンダ１８はそうではない。センタリングシリンダアセンブリリング２０によって保持される安全シリンダ内側ばね１９は、外側安全プルシリンダ１７がドロップアウト拘束面４４に対して内方にロックされたままであることを確実にするために用いられる。
【００３０】
車輪を再装着する場合、操作は逆に行われるが、図１３に示す握り動作は必要ない。
【００３１】
図１６〜図１９に示すシーケンスは、図９〜図１５の第２の好ましい実施形態の変更形態を示すが、調整ナット止めねじ３０と組み合わせた回転不可能調整ナット４６と、広スロークイックレリーズ一体型カムアーム２２とが、図１１に示すようにクイックレリーズ及びスキュアをスピンさせる必要をなくす。クイックレリーズクレードル２４に載る面２３は、クイックレリーズ一体型カムアーム２２が図１６から図１７の状態に移るときに、図１８に示すようにスキュア５を軸方向内方に押すと回転不可能調整ナット４６がドロップアウト拘束面４４を離れるようにするのに十分なほどカム中心からの距離が変わる。前掲の図のように、外側安全プルシリンダ１７も、図１９に示すように車輪取り外しを可能にするために握らなければならない。標準的な自転車ナットをこの実施形態で用いて、回転不可能調整ナット４６の代わりとしてもよい。
【００３２】
車輪を再装着する場合、操作は逆に行われるが、図１９に示す握り動作は必要ない。
【００３３】
図２０〜図２７は、図９の変形形態である第３の好ましい実施形態を示し、この場合、安全機構は同じように操作されるが、わずかに異なった機能を果たす。スロット付き外側センタリングシリンダ２５は、クイックレリーズ６の圧力をドロップアウト突出面４３に伝え、内側安全プルシリンダ２６は、ドロップアウト凹部１１内に収まるが、スロット付き外側センタリングシリンダ２５の外側に延びて車輪取り外しのためにクイックレリーズヘッド６を押すのと同時に外方に握られなければならない２つの引張領域すなわち指掛け部を有する。この場合も同様に、安全シリンダ内側ばね１９は、内側安全プルシリンダ２６がドロップアウト凹部１１に常に押し込まれていることを確実にし、クイックレリーズばね８は、調整ナット９が同様に反対側のドロップアウト凹部１１に常に引き込まれていることを確実にする。図９に示す変形形態に勝るこの変形形態の利点は、図２７に示すような標準的なドロップアウトを用いることができることである。車輪を再装着する場合、プロセスは逆に行われる。
【００３４】
図１〜図２７に示すシステムは全て、最低でもユーザがクイックレリーズ及び安全装置を一緒に押して握ることを必要とする。場合によっては、握り動作を必要とせずにクイックレリーズを単に押すことが望ましいかもしれない。図２８〜図４６は、握り動作が必要ないシステムを示す。
【００３５】
図２８〜図３４は、リングギヤを有する内側センタリングシリンダ２７が、リングギヤ２８を備えるとともにリングギヤ軸２９に取り付けられる、システムの第４の好ましい実施形態を示す。クイックレリーズ一体型カムアームが開かれて押されると、スキュアギヤ歯３１が、外側安全プルシリンダ１７に取り付けられている外側安全シリンダラダーギヤ４０と接触するリングギヤ２８を回転させて、ドロップアウト凹部１１から外側安全プルシリンダ１７を押し出す。このように、クイックレリーズ一体型カムアーム２２及びスキュア５を内方に押す一度の動作で、外側安全プルシリンダ１７及び回転不可能調整ナット４６の両方をドロップアウト凹部１１から出し、車輪を取り外すことができる。車輪を再装着する場合、動作は逆に行われるが、図３１に示す押し矢印は必要ない。
【００３６】
図３５〜図４０は、車輪取り外しのために車輪の両側を解除するためにクイックレリーズを内方に押すという同じ原理を用いる、第５の好ましい実施形態を示す。しかしながら、図３５〜図４０の機構は、いくつかの特有の概念を有する。ドロップアウト２には、内面にドロップアウト内側凹部３６と、外面にドロップアウト凹部１１とが設けられる。安全ディスク３４及び安全ディスクばね３５を収容するハブ安全ディスク凹部３３があることにより、軸４はクイックレリーズ側のドロップアウト２内に延びない。したがって、荷重受け（load bearing）スキュア３２は、クイックレリーズ調整可能カムアーム３８がロックされていないときに車両の荷重を受けなければならない。クイックレリーズ調整可能カムアーム３８は、前述の実施形態のように回転するが、回転するときに、荷重受けスキュア３２を回転させるのではなく、スキュア調整可能カムねじ領域３７上で調整可能カム４５を進退させ、調整可能カム止めナット３９によって端から抜けないようにされる。クイックレリーズスプレッドディスク４２をクイックレリーズクレードル２４と組み合わせることができることにより、これら２つが車輪の可逆性に合わせたサイズのドロップアウト凹部１１に入らないようにすることができる。安全ディスク３４と回転不可能調整ナット４６とは、常に所定の距離だけ離間しており、荷重受けスキュア３２が押されると、両方揃ってそれぞれの凹部領域から出る。安全ディスクばね３５及びクイックレリーズばね８は、安全ディスク３４及び回転不可能調整ナット４６が常に安全のために凹部スロット内にあることを確実にする。
【００３７】
図４１〜図４６は、車輪取り外しのために車輪の両側を解除するためにクイックレリーズを内方に押すという同じ原理を用いる、第６の好ましい実施形態を示す。しかしながら、前述の好ましい実施形態全てと異なり、この場合、２つのドロップアウト２が互いの鏡像となっておらず、車輪の各側が可逆ではない。クイックレリーズ側のドロップアウト２は、スプリットドロップアウト安全ディスク開口４７を有し、これは、スキュア５及び調整可能カム４５が軸方向内方に押されると安全ディスク３４がドロップアウト内側凹部３６から出てスプリットドロップアウト安全ディスク開口４７に入り、車輪取り外しのためにドロップアウトを離れることを可能にする。安全ディスク３４及び回転不可能調整ナット４６は、常に固定の距離だけ離間している。クイックレリーズ調整可能カムアーム３８及び調整可能カム４５はこの場合も、回転するときに、スキュア５を回転させるのではなく、スキュア調整可能カムねじ領域３７上で進退する。図３５に勝るこの実施形態の利点は、標準的なハブ３及び標準的な軸４の直径を用いることである。
【００３８】
上記の変形形態は全て交換可能である。それぞれが、カムの動作後にさらに回転又はスピンさせる必要をなくすことができる広スロークイックレリーズ一体型カムアーム２２とともに用いることができる。これにより、回転不可能調整ナット４６又は従来の自転車ナットの使用が可能になる。同様に、全ての変形形態は、車輪取り外しのためにクイックレリーズとナットとの間の距離を広げるためにさらに回転又はスピンさせる必要がある小スロー（small throw）クイックレリーズ６を用いることができる。図３５〜図４６を除いて、全ての変形形態は、クイックレリーズアーム動作の迅速な調整のために、図８に示すような回転限界制御キャップを有する調整ナットを用いることができる。
【００３９】
次に、図４７〜図９８を参照して、本発明のさらなる好ましい実施形態を開示する。
【００４０】
場合によっては、一般的な自転車使用者が正しいクイックレリーズカム動作のために張力を適切に調整する方法を理解し難いことが分かっている。クイックレリーズの反対側にある調整ナットを、カムが「跳ね上げ（flip-over-the-top）」方法で操作されると正しく固定される位置まで回す方法は、理解し難い場合がある。一般的な使用者は、ノブをきつくなるまで単に回すこと、又は別個のアセンブリにおいて「跳ね上げ」レバーを単に操作することは理解できる。しかしながら、現在のクイックレリーズシステムの場合のようにこれら２つが組み合わさると、一般的な使用者は、多くの場合これを正しく行わず、クイックレリーズレバーを限界まで回転締結して、正しく機能するのに必要な「跳ね上げ」動作を無視することによって、クイックレリーズレバーを「蝶ナット」のように用いることが知られている。これは、車輪が十分に締結されているように見えるが実際にはそうでないという状況を生む。
【００４１】
したがって、カムレバーを「跳ね上げ」式に単に操作することによって車輪が確実に固定されるシステムを有することが望ましい。代替的に、ノブをきつくなるまで単に回すことによって車輪が確実に固定されるシステムを有することが望ましい。さらに、これらの単純なシステムでも使用者の過失が生じた場合、安全を確保するために、これらシステムはいずれも、自動的に係合するか又は使用者に手動係合させる二次保持システムを有するべきである。したがって、図４７〜図８４及び図９６〜図９８に示すに示す車輪固定システムは、以下の基準を満たす。
［ａ］手動操作式の主車輪固定機構が設けられた自転車には、二次車輪保持機構も設けられるものとし、二次車輪保持機構は、主車輪固定機構の解除後に車輪ハブがフォークドロップアウトから出る時点で二次車輪保持機構が手動係脱されている場合にのみ、車輪を自転車から取り外すことを可能にする。
［ｂ］ドロップアウトへの車輪ハブの挿入は、車輪ハブがフォークドロップアウトへ入る時点で主車輪固定機構又は二次車輪保持機構が車輪を自動的に固定することを必要とするものとする。又は、車輪ハブがフォークドロップアウトに入る時点で主車輪固定機構又は二次車輪保持機構による車輪の手動固定を必要とするものとする。
［ｃ］主車輪固定機構の固定及び解除の全状態の間、二次車輪保持機構は、無干渉状態では車輪ハブをフォークから離脱させないものとする。
【００４２】
図４７〜図５６は、回転なしで「跳ね上げ」動作のみを必要とする勾配付き（beveled）広スロークイックレリーズレバーと、離脱クレードルとを組み込んだ、第７の好ましい実施形態を示す。この広スロークイックレリーズは、２つのドロップアウト拘束面４４の高さを合わせたのと少なくとも同じ長さのカム変位距離すなわち「スロー」を有する。図４７〜図５０は、車輪アセンブリがフォークアセンブリに挿入されるシーケンスを示す。図５３〜図５６は、車輪アセンブリがフォークアセンブリから取り外されているシーケンスを示す。図４７を参照すると、車輪アセンブリは、フォークドロップアウトに挿入され始めたばかりであり、クレードルばね５３によってアウトボードクレードル５２がインボードクレードル５４から分離されることにより、マレアブル（malleable）クレードルインサート５９が勾配付きクイックレリーズ可変縁部５５に押し付けられている。ロック可能調整ナット５８が、ナイロック（nylock）を有するカウンタロックナット５６に対して正しいクイックレリーズカム張力が得られる位置ですでにロックされている。最初の組み立て時には、車輪をフォークに挿入し、適切なクイックレリーズ動作を得るのにまさに正しい位置までロック可能調整ナット５８をスキュア５に通す。次に、ナイロックを有するカウンタロックナット５６をスキュア５に工具を用いて通し、ロック可能調整ナット５８が回転しないようにしながら、ナイロックを有するカウンタロックナット５６をそれに対してきつく締めて、これらをスキュア５の周りでこの地点から手で回転させることができないようにする。ナイロック５７は、アセンブリが振動によってスキュア５の端から緩まりも外れもしないことを保証する。
【００４３】
車輪アセンブリが挿入されるとき（図４７から図４８の状態へ）、インボードクレードル５４及びロック可能調整ナット５８がドロップアウトランプ１６によって斜め外方に移動するときにハブ３は内側ハブセンタリングランプ６６によってセンタリングされる。図４８は、インボードクレードル５４及びロック可能調整ナット５８がドロップアウト突出面４３を乗り越えるようにするのに十分な余地が離脱クレードルの部材間にあることを示す。図４８には、車輪を装着するにはインボードクレードル５４及びロック可能調整ナット５８がドロップアウト突出面４３に乗り上がってドロップアウト突出面４３に沿って摺動するだけでよいため、離脱クレードル及び内側クレードルばね５３が必ずしも完全に圧縮されるわけではないことも示されている。ドロップアウトランプ１６が用いられない場合、図４８は図５５に置き換えられ、このシーケンスで手動操作される。
【００４４】
図４９は、インボードクレードル５４及びロック可能調整ナット５８がドロップアウト凹部１１に嵌め込まれることにより、二次保持システムと係合しているところを示す。この時点で、主ロックシステム、可変カム体８２、及びクイックレリーズ一体型カムアーム２２がロックされていなくても、車輪はフォークから誤って離脱することはない。したがって、作業者が車輪をフォークに挿入したがクイックレリーズ領域にもハブ領域にも全く触れていないにもかかわらず、二次保持システムは安全のために自動的に係合されている。より強力なばねが用いられる場合、可聴「クリック音」がすることにより、二次保持システムが自動的に係合したことを使用者に知らせる。
【００４５】
図５０は、クイックレリーズ一体型カムアーム２２が「跳ね上げ」式に操作され、完全に係合した主ロックシステムと離脱クレードルとが互いに圧縮されているところを示す。クイックレリーズも調整ナットもスピンさせる必要はない。
【００４６】
図５１は、円錐クレードルばね５３の幅広端がインボードクレードル５４側にある離脱クレードルの拡大図である。図５２は、円錐クレードルばね５３の幅広端がアウトボードクレードル５２側にある離脱クレードルの拡大図である。
【００４７】
図５３〜図５６は、車輪をロック解除してフォークから取り外す手順を示す図のシーケンスである。図５３は、ロックされた乗車位置を示す。図５４は、クイックレリーズレバーがロック解除されたところを示す。この状態では、主ロックシステムは係脱されているが、二次保持システムは係合されたままである。可変カム体８２及びクイックレリーズ一体型カムアーム２２がカム主ロックシステムを解除するために「跳ね上げ」方法で操作されるとき、アウトボードクレードル５２及びマレアブルクレードルインサート５９は、可変カム体８２に常に係合又は近接したままである。
【００４８】
図５５は、インボードクレードル５４がアウトボードクレードル５２及び可変カム体８２に手動で押し当てられることにより、スキュア５をロック可能調整ナット５８に向けて押して、インボードクレードル５４及びロック可能調整ナット５８がドロップアウト凹部１１から出てドロップアウト拘束面４４を離れるようにするところを示す。換言すれば、インボードクレードル５４を引くのと同時に可変カム体８２を押し、車輪取り外しのためにアセンブリがセンタリングされるように両者を保持する。このように、二次保持システムを手動で係脱させた状態で車輪がフォークから取り外される。
【００４９】
したがって、二次保持システムが係脱された状態でない場合、車輪を取り外すことはできない。二次保持システムを単に操作して手を離すだけでは、車輪を取り外すことができない。このように、二次保持システムを係脱させてから係脱させたことを忘れてしまう可能性はない。この操作は、自転車のクイックレリーズ側からのみ行われ、自転車のロック可能調整ナット５８側で操作を行う必要はない。
【００５０】
図５６は、車輪がフォークから取り外された、シーケンスの最終状態を示す。この時点で、二次保持システムを開いた状態にしておく必要はもはやない。スキュア５は長さが様々であり得るため、長すぎる場合、突出したままだと乗り手の脚を切ってしまう可能性があるが、ロック可能調整ナット５８は、このようなスキュア５を収容する空洞を提供するという点で新規である。このように、ロック可能調整ナット５８は、乗り手に危険を及ぼすことなくスキュア５を長いままにしておくことができる（スキュア５が短く切断されすぎると、自明の理由から安全ではない）。図示はされていないが、このシステムは、二次保持システムの自動ロック用の１つ又は複数のランプを有さないフォークとともに用いられる。この場合、システムは、車輪を装着するために手動で離脱させなければならず、車輪を装着するシーケンスは、図５３〜図５６に示すシーケンスを逆にするだけである。
【００５１】
多数の変形形態が本発明の範囲内にあることが、当業者には自明であろう。こうした変形形態としては、限定はされないが、インボードクレードルを指用凹部のない単純な平座金か、又は多様な他の形状にすること、振れ止めナイロンインサートを有する標準的な調整ナット、又はスキュアと一体の端、又は任意の他の調整可能若しくは固定ナットを用いること、様々な他の形状のばねを用いること、及び異なる形状又は様式のクイックレリーズヘッドを用いること（両側で凹部を出ることを可能にするのに十分な「スロー」を与える限り）が挙げられる。さらに、図示のシステムは、前輪にも後輪にも用いることができる。これもまた図示されていないが、２部品離脱クレードル（５２及び５４）及び狭スロー（narrow throw）標準クイックレリーズが、図１に示すような回転ベースのシステムとともに用いられる。
【００５２】
使用のたびに回転させて再調整しなければならない今日の大半の自転車で用いられる「ハーフパイプ」クレードルを有する、標準的なクイックレリーズは、クイックレリーズクレードルがクイックレリーズレバー／カムに対して回転する量が変わることがあり得ることで、クイックレリーズカム変位面（varying surface）とクレードルとの間の位置ずれが生じるという問題を有する。この問題は、多くの場合、使用者がクレードルを正しい位置に回転し戻すことによって、又は調整ナットを緩めて不適合な嵌め合いに必要な余分な空間を与えることによって、補正される。
【００５３】
ドロップアウト拘束面４４と少なくとも同じ大きさのカム変位距離すなわち「スロー」を有する広スロークイックレリーズカムの使用を考える場合、この問題はいくつかの理由から増幅される。第１に、広スロークイックレリーズは、正しいカム動作のために一度だけ予め設定され、特定の調整点で固定され、多くの場合はそれ以降手動で調整不可能であるため、クレードルとクイックレリーズカムとの関係が寸法変化しないことが重要である。「ハーフパイプ」クレードルがこの広スローカムに対して回転すれば、カムは概して「ハーフパイプ」の側部を圧潰して全体の寸法を変えるため、もはや調整不可能となり得る。第２に、広スローカム及びクレードルは、可変カム直径が小さい従来のクイックレリーズよりも「平坦」であることにより、望ましくない相対回転が生じやすくなる。
【００５４】
図５７は、この問題を軽減する、広スロークイックレリーズヘッド、レバー、及びクレードルの好ましい実施形態を示す。斜縁５５付きの可変カム体８２は、椀形クレードル面６３を有する適合するマレアブルクレードルインサート５９を互いに対して任意の角度だけ回転させることが問題なくできる。いずれの相対回転角度でも、勾配付きクイックレリーズ可変縁５５及び椀形クレードル面６３は互いに対して広い圧接面で同じ調整状態を維持することにより、クレードルが回転する場合でも再調整を必要とせずに主ロックシステムを適切に機能させることができる。
【００５５】
図５８は、ハーフパイプクレードル面６４を有するマレアブルクレードルインサート５９とともに用いてハーフパイプクレードル面６４との間に広い圧接面を形成するクイックレリーズ可変縁２３を有する、勾配なし（non-beveled）広スロークイックレリーズを示す。この勾配なしクイックレリーズ可変縁２３は、非位置合わせ（non-aligning）椀形クレードル面６３とも非位置合わせ平面（図示せず）とも用いることができない。いずれの場合も、クイックレリーズカムが車輪ロックのために十分な圧力を加えることができないようにする点荷重又は線荷重が生まれるであろう。この広スローレバーは、図５９〜図６１に示すシステムとともに用いることができる。本明細書に示す実施形態は全て、勾配付き又は平坦、又はサイドスロークイックレリーズとともに用いることができる。
【００５６】
図５９は、ハーフパイプクレードル面６４を有するマレアブルクレードルインサート５９と、直径「Ａ」を有するスキュア５よりも小さな位置維持ばね直径６５「Ｂ」を有する内側クレードルばね５３とを用いるシステムを示す。このように、円錐内側クレードルばね５３の小端は、スキュア５に沿って容易に摺動しないため、クイックレリーズが「跳ね上げ」式に操作される間、アウトボードクレードル５２に対して一定の圧力を加えてクイックレリーズ可変縁２３に押し当てたままにする。このように、アウトボードクレードル５２と可変カム体８２との相対回転が妨げられる。
【００５７】
図６０は、外側クレードル回転防止孔７５内及びクイックレリーズスロット７７内に嵌まることによりアウトボードクレードル５２と可変カム体８２とを相対回転させないようにする、スキュア取り付け式外側クレードル回転防止部６１を示す。図６１は、可変カム体８２とアウトボードクレードル５２との間の偶発的な回転を防止するために図示のような位置にあり得る一体型外側クレードル回転防止部６２を有する、ハーフパイプクレードル面６４を示す。クイックレリーズ内側スロット縁６０は、一体型外側クレードル回転防止部６２が占める追加領域に対応するように変更される。
【００５８】
これらの好ましい実施形態は、跳ね上げ式広スロークイックレリーズ又はサイドアームクイックレリーズを大型化し広スロー用途に適合させて作ってもよい。この既知のサイドアーム広スロー技術も、２つのドロップアウト拘束面４４の高さを合わせたのと少なくとも同じ大きさの「スロー」を有さなければならない。後述する単動実施形態では、「スロー」は１つのドロップアウト拘束面４４の高さよりもわずかに長い高さに減らすことができる。広スローサイドアームクイックレリーズを好ましい実施形態で用いる場合、クイックレリーズ外側カバーをインボードクレードル５４内に部分的に収容することができる。この好ましい実施形態は、車輪挿入中に二次保持システムを自動的に係合させるか又は二次保持システムの手動係合を必要とするようにすることができる。自動システムが求められる場合、図６２及び図６３に示す傾斜ドロップアウトシステムが用いられる。
【００５９】
図６２は、車両をフォークに挿入すると二次保持システムと自動的に係合するフォークドロップアウト２の実施形態の詳細を示す。車輪がドロップアウトに挿入されると、インボードクレードル５４及びロック可能調整ナット５８がスロットハブセンタリングランプ６７及びランプ間ベベル（ramp intersection bevel）６８と接触し、車輪がさらに挿入されると、ドロップアウトランプ１６と接触する。この一連の面は、インボードクレードル５４及びロック可能調整ナット５８を持ち上げてドロップアウト突出面４３を乗り越えさせる役割を果たす。ドロップアウト鈍端７２は、車輪がフォークに取り付けられていないときに輸送用カートン、床、又は乗り手に損傷を与え得る鋭端を有さないようにするものである。内側ハブセンタリングランプ６６は、車輪装着中にハブ３をセンタリングする役割を果たす。
【００６０】
図６３は、無凹部（凹部の無い）締め付け領域７０及び無凹部ドロップアウト安全タブ７１を有する、図６２と同じように機能する無凹部ドロップアウト６９を示す。この一連のランプは、二次保持システムが所定の場所に自動的に嵌まる間にハブ領域でいかなる操作も必要とせずに、自転車及び車輪を単に持ちながら車輪を容易に装着することを可能にする。さらに、この一連のランプは、車輪をフォークにおいて前後方向及び左右方向の両方でセンタリングすることも容易にする。詳述したこの一連のランプは、図７、図１５、図３２、図８６、図８７、及び図８８に示すドロップアウトで用いることもできる。任意の好ましい実施形態の任意の他のドロップアウト形状とともに、種々のドロップアウトが交換可能である。
【００６１】
図６４〜図６７は、ロック可能調整ナット５８の詳細を示す。図示の全ての場合において、何らかのカウンタロック手段がロック可能調整ナット５８と組み合わせて用いられる。しかしながら、図６８には、本出願全体でこれらのロックナットの代わりとなることができる今日の多くの自転車で見られるナイロック振れ止め（vibration stop）を有する標準的な調整ナットも示されている。図６４は、重量を減らすために調整ナットナイロンカバー７４を組み込んでいる。図６５は、単一材料ロック可能調整ナット５８を示す。図６６は、ナイロック５６を有するカウンタロックナットをカウンタロックナット７６で置き換える変更形態を示す。これらナットのいずれにも、必要であれば工具適合面を設けることができる。
【００６２】
図６７は、ねじ無しスキュア面８４を締結する調整ナット止めねじ３０を用いる滑り嵌めロックナット７８を示す。これにより、スキュア５のねじ山が損傷することがなくなる。図６９は、ロック可能調整ナット５８とともに用いられるアセンブリを示す。図７０は、ロック可能調整ナット５８の代替例を示し、この場合、スキュア５は一体スキュア端７９を有し、カム軸カウンタロックナット８１に対して固定される調整可能・ロック可能カム軸８０を用いて可変カム体８２で調整が行われる。使用のたびにカム張力調整の必要がない、最初に調整可能で次にロック可能なシステムを作るには、図示はされていないが可能な多くの方法がある。
【００６３】
クイックレリーズ前輪の主な用途の１つは、輸送用車両に自転車を搭載できるようにすることである。現在の車両ラックは、多くの場合、以下のアイテムのいずれも提供しない。第１に、現在の車両ラックは、作業者が主ロックシステムのロックを忘れた場合に自転車を車両ラック上に自動的に保持する二次保持システムを提供しない。自転車が高速の状況で緩んだ場合に致死的な発射物になり得るため、これは重要である。第２に、使用者が両手で自転車を持ち上げてルーフラックに載せようと試みるとき、多くの場合、フォークをラックに固定するために自転車をスタンド上で垂直に保持しながら片手を離すことは困難である。これは、車高の高い車両ほど、又は斜面に停車中の車両ほど困難になる。したがって、自動二次保持システムを車両ラックシステムに組み込むことが有益であろう。
【００６４】
図７１〜図７４は、自転車を車両に搭載するためのラックシステムを包含する第８の好ましい実施形態を示す。図７１は、車両用自転車ラック８５が、前部が車両ラックフォークマウント８６に取り付けられ後部が後輪マウント８７に取り付けられた自転車を保持しているところを示す。図７２は、車両ラックフォークマウント８６に取り付けられて車両ラックフォークマウント斜縁８８を用いてセンタリングされている自転車フォーク１の断面図である。取り付けプロセスは、車輪ハブが取り付けられる場合と同じであり、フォークが車両ラックフォークマウント８６に取り付けられてラックの二次保持システムと自動的に係合した後で、可変カム体８２及びクイックレリーズ一体型カムアーム２２が主ロックを行うために操作される。使用者がラック上で複数の自転車を用い、適切なカム張力を得るためにいくらかの調整を必要とする場合があるため、ロック可能調整ナット５８ではなく調整ナット９が図示されている。しかしながら、いずれのナットを用いてもよく、別のナットを用いてもよい。
【００６５】
図７３は、ロック解除位置にあり自転車フォークを受け入れる準備ができている車両ラックフォークマウント８６の断面図である。図７４は、明確化のために図７１には示さないが車両用自転車ラック８５に取り付けることができる前輪マウントの断面図である。車両ラック車輪マウント８９が車両ラック車輪マウント傾斜ドロップアウト９０を用いて前輪を自動的に固定して二次保持システムを係合させる一方で、車両ラック車輪マウントマレアブル面９１がクイックレリーズ一体型カムアーム２２を用いて種々の予め設定された調整点で車輪を締め付けることを可能にする。図示の二次保持システムの自動係合ではなく二次保持システムの強制手動係合を必要とする、ランプを全く有さないシステムが、図示されていないが当業者には自明である。本出願に示される他の主システム及び二次システムを車両ラックシステムとともに用いることも、図示されていないが当業者には自明である。
【００６６】
図７５〜図８０は、単にクイックレリーズ一体型カムアーム２２を開いてから可変カム体８２を内方に押すだけで車輪取り外しが行われる、第９の好ましい実施形態を示す。この好ましい実施形態は、図２８〜図３４に示す実施形態と同様である。図７５〜図７８は、車輪の取り外しを示す断面図のシーケンスである。図７５は、システムがロックされた乗車状態にあるところを示す。図７６は、クイックレリーズ一体型カムアーム２２がロック解除されて変更形のアウトボードクレードル９３が可変カム体８２と接触したまま外方に飛び出しているところを示す。図７７は、可変カム体８２を内方に押すことにより二次保持システムを解除するところを示す。図７８は、可変カム体８２を内方に押し続けながら車輪取り外しのプロセスを開始するところを示す。二次保持システムがドロップアウト拘束面４４を離れると、車輪取り外しを完了するために可変カム体８２をそれ以上内方に押し続ける必要はない。図７９は、乗車状態にある図７５に示す２部品クイックレリーズクレードルの細部断面図を示し、プッシュレリーズトリガ９２がスキュア５（図示せず）に螺合され、二次保持システムを解除するのに正しい位置へ調整される。プッシュレリーズトリガ９２は、同心内側マレアブルクレードルインサート５９及び変更形のアウトボードクレードル９３である。可変カム体８２が内方に押されると、２つのことが起こる。すなわち、プッシュレリーズトリガ９２がピボットレバー９６を回転させることでインボードクレードル外側部品９７をアウトボードに持ち上げてドロップアウト拘束面４４から離し、スキュア５がロック可能調整ナット５８をアウトボードに押して、車輪取り外し中にこれも同様にドロップアウト拘束面４４を離れるようにする。インボードクレードル内側部品９５は、ドロップアウト凹部スライド２１（図１５に示す）に嵌まってそれに沿って摺動する直径を有するが、インボードクレードル外側部品９７は、ドロップアウト凹部スライド２１を通り抜けず、車輪取り外しを行うために持ち上げられなければならない（raised up and over）。
【００６７】
図７７及び図７８の２部品クレードルの詳細図が図８０に示されており、可変カム体８２が押されて車輪取り外しを可能にする。この第９の好ましい実施形態に必要なフォークは図１５に示すようなものである。スキュア５の片側を一度押すことで両方の二次保持システムの持ち上げを達成する多様な他の手段があることは、当業者には自明であろう。
【００６８】
図８１〜図８４は、図７５〜図８０と同様の第１０の好ましい実施形態を示し、この場合、単にクイックレリーズ一体型カムアーム２２を開いてから可変カム体８２を内方に押して回転させるだけで車輪取り外しが行われる。図８１〜図８４は、車輪の取り外し中のクイックレリーズ側動作を示す断面図のシーケンスである。図８１は、システムがロックされた乗車位置にあるところを示す。図８２は、クイックレリーズ一体型カムアーム２２がロック解除されたところを示す。図８３は、可変カム体８２がインボードに押されることで、変更形プッシュレリーズトリガ９８がトリガピン９９とともにインボードクレードル内側部品「Ｌ字」形切欠部１００（図示せず）及びインボードクレードル外側部品持ち上げ切欠部１０１内を、インボードクレードル内側部品９５と接触して止まるまで進むようにすることを示す。次に、図８４は、クイックレリーズ一体型カムアーム２２が回転することで変更形プッシュレリーズトリガ９８及びトリガピン９９も回転するが、インボードクレードル内側部品９５は変更形プッシュレリーズトリガ９８とドロップアウトとの間に挟み付けられているため回転しないところを示す。インボードクレードル内側部品９５は、望ましくない回転が行われないようにするのを助けるために高摩擦インボード面を有してもよい。インボードクレードル外側部品９７は、インボードクレードル内側部品９５に回転固定されるため、トリガピン９９がインボードクレードル外側部品持ち上げ切欠部１０１に沿って押し進み摺動して初めてドロップアウト凹部から持ち上がって出ることができる。トリガピン９９は、インボードクレードル外側部品９７と接触したままであるが、この接触は断面に示されていない。
【００６９】
このシステムも、第９の好ましい実施形態の場合のように、図１５に示すようなフォークドロップアウトを用いる。この押し回しシステムは、スキュアに回転固定されていない、また図８５に示すようにスキュアが軸／車輪に対する回転に抵抗する、クイックレリーズヘッドとともに用いることもできる。カムクイックレリーズを開いてからそのクイックレリーズの二次運動で二次保持システムを係脱させることを用いる、多様な他の機構（図示せず）及び方法があることは、当業者には自明である。この二次運動は、押し、引き、押し捻り、引き捻り、「跳ね上げ」操作のさらなる組み合わせ等であり得る。クイックレリーズのこのような二次運動により、車輪の両側で二次保持システムを解除することができる。
【００７０】
図８５は、対応する形状の嵌合ハブ軸１０６内に嵌まって互いに回転固定されるようにする、この場合は六角形の回転抵抗スキュア１０２を示す。さらに、アウトボードクレードル５２及び回転抵抗カム軸８３も回転抵抗スキュア１０２に回転固定されることにより、可変カム体８２に対して誤って回転できないハーフパイプクレードル面６４が得られる。このシステムはまた、自転車の重量が、嵌合ハブ軸１０６がドロップアウトに対して回るのを防ぎ、したがって回転抵抗スキュア１０２が回るのも防ぐため有益である。これはさらに、以下の好ましい実施形態に示すように回転抵抗スキュア１０２を回すことなく回動ノブを回転抵抗スキュア１０２の端に螺合させる。
【００７１】
前述のように、一般的な自転車使用者は、適切なカム動作のための微調整を行うためにクイックレリーズシステムを回してからカムの「跳ね上げ」操作を用いる際に、多少苦労する。しかしながら、これら２つの操作自体はいずれも理解し難いものではない。前述の好ましい実施形態は、回転させない「跳ね上げ」操作を必要とする。以下の好ましい実施形態は、主ロックシステム及び二次保持システムをロックするために単純な回転しか必要としない。しかしながら、単純な手動回転は概して、「跳ね上げ」カムクイックレリーズが生み出すことができるのと同じレベルの締め付け力を生み出さない。したがって、より小さな締め付け力で安全且つ効果的な車輪保持を提供することができる新規のシステムが望ましい。
【００７２】
図８６〜図８８は、ドロップアウトのインボードハブ側に新規のドロップアウト傾斜ハブ取り付け隆起部１０３を組み込んだ同じフォークドロップアウトの３つの図である。このドロップアウトは、対応する形のハブとともに用いられる。特定の形状が図示されているが、同じ固定を行うために多様な非平坦合わせ面（marrying surfaces）を用いることができる。ドロップアウト傾斜ハブ取り付け隆起部１０３は、主固定装置がロックされるときに、ハブとドロップアウトとの間の微動に対して平面よりも大きな抵抗を与える。さらに、傾斜面は、車輪がドロップアウトから出るために、車輪取り外し中にフォークブレードがアウトボード方向に曲がって固定機構を乗り越えるのに十分な余地がなければならないため、二次保持装置も提供する。フォークブレードを広げるのに十分な引張力も車輪に対して車輪取り外し方向に加えられなければならない。この力は、片側に分布するようにタイヤ／リム領域に加えられる方がよいことが分かっている。
【００７３】
前述のシステムとは異なり、このシステムは、ハブの各側にあるばねを用いてセンタリングされることが好ましい。前述の実施形態の全てにおいて、二次保持システムが手動で係脱された状態になると、車輪にはフォークから出るのに障害となる物が何もなくなる。ドロップアウト傾斜ハブ取り付け隆起部１０３を有するドロップアウトを用いる場合、重力で車輪が外れ易くなることはない。車輪は強制的に取り外さなければならない。基本的に保持又は非保持でありそれらの中間がない二元機能であった従来技術の二次保持システムとは異なり、このドロップアウト傾斜ハブ取り付け隆起部１０３は、より大きな力によって克服される車輪取り外しに対する抵抗を用いる二次保持システムを提供する。
【００７４】
図８９〜図９４は、回動ノブ１０４を用いて主固定システムをロックする第１１の好ましい実施形態を示すが、二次保持装置の変形形態が示されている。図８９は、ドロップアウトキャッチフィンガレバー１１１が開かれた状態になってドロップアウトキャッチ突起部１１０が逆回転止めキャッチ１０９の回転を抑えなくならない限り、回動ノブ１０４を緩めるように回すことができないシステムを示す。回動ノブキャップナット１０５は、回動ノブ１０４が回りすぎることを防止する。嵌合ハブ軸１０６は、回動ノブ１０４を回転させながら回転抵抗スキュア１０２が回転するのを防止する。
【００７５】
前述のシステムとは異なり、複数の二次保持システムが図示されている。二次保持システムの１つはドロップアウトキャッチフィンガレバー１１１であり、もう１つはドロップアウト傾斜ハブ取り付け隆起部１０３であり、これはハブ凹部１０７に対する運動に抵抗する。ドロップアウトキャッチフィンガレバー１１１は、回動ノブ１０４を緩めながら手動で係脱される。乗り手がフォークに取り付けられる車輪の方向を逆にすることが多いため、ドロップアウトキャッチフィンガレバー１１１は図示のように両方のドロップアウトに装着されるべきである。回転抵抗スキュア１０２が図示されているが、標準的なスキュア５が用いられる場合、ドロップアウトキャッチフィンガレバー１１１を用いて、回動ノブ１０４を回転させながら一体スキュア端７９の回転に抵抗することができるであろう。逆回転止めキャッチ１０９は、回動ノブ１０４を締結するときにドロップアウトキャッチフィンガレバー１１１を操作する必要がないように構成される。
【００７６】
回動ノブ１０４の望ましくない緩み回転に抵抗するか又は緩み回転を止める多様な他の機構が、図示はされていないが当業者には自明である。
【００７７】
図９０は、回動ノブ１０４及びドロップアウトキャッチフィンガレバー１１１の側面図である。図９１は、二次保持システムが、高摩擦面１１２に押し当たって望ましくない緩み回転をなくすドロップアウトばね付勢式玉軸受１１３を備えることを除いて、図８９と同様のシステムを示す。図９２は高摩擦面１１２を示し、図９３はドロップアウトばね付勢式玉軸受１１３の可能な配置を示す。図９４は図９１と同様であるが、回動ノブ１０４の望ましくない緩み回転にいかなる抑制も与えられず、設けられる二次保持システムは、ハブ傾斜取り付け隆起部１１５を収容するドロップアウトハブ取り付け凹部１１４だけである。多様な非平坦の対応ハブと、車輪取り外しに抵抗するドロップアウト取り付け面の非平坦形状とが、当業者には自明である。
【００７８】
図９５は、無凹部ドロップアウト１０８を締め付け、ドロップアウト傾斜ハブ取り付け隆起部１０３を乗り越えるのに十分な「スロー」を有する可変カム体８２を示す。ドロップアウト傾斜ハブ取り付け隆起部１０３によって提供される二次保持システムは、図示されているが、以下の図に示す二次保持システムとともに用いられる場合は必要ない。
【００７９】
本明細書で説明する実施形態の全てが、フォークドロップアウトに作用する二次保持システムを用いる。これらの種々の実施形態を操作する際には、タイヤがブレーキから出るのに十分なクリアランスを与えるために、従来のリムブレーキシステムを通常は係脱させなければならない。従来のリムブレーキシステムでは、ハブが誤ってドロップアウトから出ると、リムに取り付けられたブレーキは、タイヤと係合して車輪のスピンを或る程度止めてしまうことが多い。場合によっては、ハブ軸がドロップアウトから出る前にブレーキパッドがタイヤと係合するかもしれず、これにより車輪の回転が急停止して、乗り手をハンドルバーの上に放り出す可能性が高い。図示の全ての車輪実施形態は、何らかの形態の自動又は強制手動二次保持システムを有するが、フロントブレーキを再固定するよう機械的に注意を促すものはない。したがって、二次車輪保持及びフロントブレーキ再固定を組み合わせ、これら両方が自動であるか又は強制的に手動で再係合されるシステムを有することが理想的であろう。
【００８０】
図９６〜図９８は、車輪取り外しのシーケンスを示す。図９６は、車輪及びフロントブレーキが乗車状態にあるところを示す。ブレーキが作動されると、２つのブレーキアーチ１２９がインボードに動いて、高摩擦ブレーキパッド面１２５を有するブレーキパッド１１６がリムブレーキ面１１７に対して作用して自転車を減速又は停止させるようにする。リム二次車輪保持機構１１８が、低摩擦面１２４よりも上に、ハブ軸がドロップアウトから出るためにハブが移動するのに必要な距離よりも短い距離だけ離れて設定される。ブレーキケーブル１１９が、ブレーキケーブルハウジング１２８内のブレーキ制御レバー（図示せず）まで延び、ブレーキケーブルハウジング１２８は、ハウジング止めピボット１２６を用いて第１のケーブルレリーズユニット１２１に枢着されるブレーキケーブルハウジング止め１２０で終端する。第２のケーブルレリーズユニット１２２は、ケーブルレリーズばね１２３で第１のケーブルレリーズユニット１２１の一端に枢着して、ブレーキケーブルハウジング止め１２０及び第１のケーブルレリーズユニット１２１を図９６に示す位置に付勢する。ブレーキアーチ１２９は、ブレーキアーチばね１２７によってリムブレーキ面１１７から引き離され続ける。ブレーキを解除することによって二次車輪保持システムを係脱させるためには、第１のケーブルレリーズユニット１２１の左側を持ち上げて、図示のように時計方向にケーブルレリーズばね１２３を中心に枢動させる（pivoted up, over, and around）。ケーブルレリーズばね１２３は、第１のケーブルレリーズユニット１２１が図９６に示す位置から図９７に示す位置へ移動するときの動きに抵抗する。
【００８１】
したがって、無干渉状態で、第１のケーブルレリーズユニット１２１及びアセンブリ全体は、常に図９６に示すような構成に戻って、２つのブレーキアーチばね１２７を克服することになる。第１のケーブルレリーズユニット１２１は、図９６に示す位置では、ブレーキがかけられてブレーキケーブル１１９が張るとケーブルレリーズばね１２３の周りをさらに反時計方向に回転しようとする傾向がある。しかしながら、第１のケーブルレリーズユニット１２１が第２のケーブルレリーズユニット１２２に衝突するため、この方向へのさらなる回転は不可能である。図示はされていないが、第１のケーブルレリーズユニット１２１を回転させるために解除する必要があるオプションのキャッチがある。
【００８２】
図９７は、第１のケーブルレリーズユニット１２１がケーブルレリーズばね１２３の周りを手動で回転させられており、ブレーキアーチ１２９がアウトボードに回転させられて、車輪が取り外されるとリム二次車輪保持機構１１８が低摩擦面１２４にもはや衝突しない位置にケーブルレリーズばね１２３を付勢しているところを示す。低摩擦面１２４は、主車輪保持システムが誤って乗車中に車輪をフォークドロップアウトから離脱させ始めた場合に、リム二次車輪保持機構１１８と接触していても車輪をスピンさせ続ける。
【００８３】
図９８は、車輪の取り外し中に手でケーブルレリーズばね１２３を付勢してブレーキアーチ１２９を開き続けているところを示す。第１のケーブルレリーズユニット１２１、ブレーキケーブルハウジング１２８、第２のケーブルレリーズユニット１２２、及びブレーキケーブル１１９を持っている手を放すと、システムは図９６に示す構成に即座に戻る。換言すれば、システムは、車輪の取り外し中に手動で係脱させていなければならない。車輪がフォークに再び挿入されるとき、システムは、図示のように手動で離脱されることを必要とするか、又は車輪装着中の離脱が自動であるように傾斜させることができる。このように、フォークドロップアウトの前輪の二次保持及びフロントブレーキの係合は、同時に行われ、不可避的事象となる。
【００８４】
図示はされていないが、第１のケーブルレリーズユニット１２１が図９６に示す位置にあり、車輪が強制的に取り外されようとする状況がある。この場合、リム二次車輪保持機構１１８が低摩擦面１２４に衝突し、車輪をフォークアウトドロップアウトから出さないようにし、車輪を乗車のために回転させ続ける。
【００８５】
このシステムは、多様な主車輪保持システムとともに用いることができる。図９５は、ドロップアウト傾斜ハブ取り付け隆起部１０３を有する、したがって図９６〜図９８に示すシステムと組み合わせると２つの二次保持システムを有するシステムを示す。標準的な調整ナット９を有する単純な小スロークイックレリーズ（クイックレリーズヘッド６と同様）、及びドロップアウト凹部１１を有さず平坦なハブ取り付け面を有するドロップアウトを、図９６〜図９８と組み合わせて用いることができる。本出願のいかなる他の実施形態も、図９６〜図９８と組み合わせることができる。図９６〜図９８に示すシステムは、自動又は強制手動車輪保持及びブレーキ再固定／機能のために、既存の自転車に後付けすることもできる。
【００８６】
図示はされていないが、異なるリム外形を用い、リム二次車輪保持機構１１８を必要としないオプションのリムブレーキ面１３０に対して動作するブレーキシステムがある。これは、従来の外形のリムの使用を可能にし、既存の自転車の後付けを容易にすることができる。同様に図示はされていないが、リムにリム二次車輪保持機構１１８が設けられるが、標準的な従来のブレーキケーブル配設（routing)が用いられ、ブレーキが標準的な方法で解除されるときにのみ車輪を取り外すことができるシステムがある。
【００８７】
ブレーキケーブルがブレーキアーチ、ブレーキレバー、又は別の場所に延びている多様なシステムがあることは、当業者には自明であろう。同様に図示はされていないが、ブロック手段が二次保持システムとして車輪に作用する、フロントブレーキとは別個の二次システムがある。これは、従来のフロントカンチレバー、ディスク、又は油圧ブレーキとともに用いることができる。最後に、図示はされていないが、開放状態のままにし続ける必要なく単動で車輪を取り外すためにブレーキが解除されるが、車輪を再装着する動作でブレーキが再係合されるシステムがある。これは、車輪がフォークに挿入されてからフォークが自動的にブレーキと係合するとタイヤ又はリムにレバーを操作させることによって、行うことができる。
【００８８】
さらに、図示はされていないが、ブレーキレバーまでのブレーキケーブルの長さは変わらないが、車輪が挿入されるときに枢動して脇に外れ車輪が取り外されるときに手動で枢動して脇に外されるブレーキユニットが考慮されるシステムがある。この場合も同様に、無干渉状態で、ブレーキは動作／乗車状態に自動的に枢動し戻る。
【００８９】
本発明をいくつかの好ましい実施形態に関して説明したが、本開示に基づいてこれら実施形態の変更形態を実施することができ、それらが依然として本発明の全範囲内にあることは、当業者には明らかとなるであろう。可能性の範囲を網羅することが試みられているのではなく、本発明の基本的態様を開示することが試みられている。
【図面の簡単な説明】
【００９０】
示される説明及び図面は、特許請求の範囲に記載される本発明の範囲を限定することは意図されず、本発明の一部として提供されるものである。
【図１】クイックレリーズに隣接してスキュアに軸方向に取り付けられた単一部材が安全装置として働き、クイックレリーズ拘束力を伝達する、第１の好ましい実施形態を示す。車輪の取り外し操作を示すシーケンスの１つであり、クイックレリーズがロックされ前輪ハブが乗車位置にあるところを示す断面図である。
【図２】クイックレリーズに隣接してスキュアに軸方向に取り付けられた単一部材が安全装置として働き、クイックレリーズ拘束力を伝える、第１の好ましい実施形態を示す。車輪の取り外し操作を示すシーケンスの１つであり、クイックレリーズがロック解除位置にあるがハブを外すことができないところを示す断面図である。
【図３】クイックレリーズに隣接してスキュアに軸方向に取り付けられた単一部材が安全装置として働き、クイックレリーズ拘束力を伝える、第１の好ましい実施形態を示す。車輪の取り外し操作を示すシーケンスの１つであり、クイックレリーズを回転させて「スロー」を増大させるとともにスキュアの調整ナットを緩めてあるところを示す断面図である。この状態ではハブをまだ外すことができない。
【図４】クイックレリーズに隣接してスキュアに軸方向に取り付けられた単一部材が安全装置として働き、クイックレリーズ拘束力を伝える、第１の好ましい実施形態を示す。車輪の取り外し操作を示すシーケンスの１つであり、クイックレリーズが単一部材安全装置に押し付けられて、クイックレリーズと遠隔にある調整ナットとがそれぞれのドロップアウト凹部から押し出されるところを示す断面図である。
【図５】クイックレリーズに隣接してスキュアに軸方向に取り付けられた単一部材が安全装置として働き、クイックレリーズ拘束力を伝える、第１の好ましい実施形態を示す。車輪の取り外し操作を示すシーケンスの１つであり、車輪ハブがドロップアウトから取り外されたところを示す断面図である。
【図６】クイックレリーズに隣接してスキュアに軸方向に取り付けられた単一部材が安全装置として働き、クイックレリーズ拘束力を伝える、第１の好ましい実施形態を示す。好ましい実施形態ともに用いることができる従来のドロップアウトを示す側面図である。
【図７】クイックレリーズに隣接してスキュアに軸方向に取り付けられた単一部材が安全装置として働き、クイックレリーズ拘束力を伝える、第１の好ましい実施形態を示す。車輪を再装着したときに自動的に固定位置になるように安全装置及びナットを広げるランプを設けて変更した非標準ドロップアウトを示す側面図である。
【図８】クイックレリーズに隣接してスキュアに軸方向に取り付けられた単一部材が安全装置として働き、クイックレリーズ拘束力を伝える、第１の好ましい実施形態を示す。回転限界制御キャップを有するように変更された「ノンタッチ」調整ナットを示す断面図である。ナットは、車輪取り外しのための正しい位置で外方への進行を停止し、適切なクイックレリーズカム張力が得られる正しい位置で内方への進行を停止する。
【図９】一方の部材が安全構成部品であり、他方の部材が車輪取り外し中にクイックレリーズの力を伝達してスキュアをセンタリング保持する、２部品装置を有する第２の好ましい実施形態を示す。車輪の取り外し操作を示すシーケンスの１つであり、クイックレリーズがロックされ前輪ハブが乗車位置にあるところを示す断面図である。
【図１０】一方の部材が安全構成部品であり、他方の部材が車輪取り外し中にクイックレリーズの力を伝達してスキュアをセンタリング保持する、２部品装置を有する第２の好ましい実施形態を示す。車輪の取り外し操作を示すシーケンスの１つであり、クイックレリーズがロック解除位置にあるがハブを外すことができないところを示す断面図である。
【図１１】一方の部材が安全構成部品であり、他方の部材が車輪取り外し中にクイックレリーズの力を伝達してスキュアをセンタリング保持する、２部品装置を有する第２の好ましい実施形態を示す。車輪の取り外し操作を示すシーケンスの１つであり、クイックレリーズを回転させて「スロー」を増大させるとともにスキュアの調整ナットを緩めてあるところを示す断面図である。この状態ではハブをまだ外すことができない。
【図１２】一方の部材が安全構成部品であり、他方の部材が車輪取り外し中にクイックレリーズの力を伝達してスキュアをセンタリング保持する、２部品装置を有する第２の好ましい実施形態を示す。車輪の取り外し操作を示すシーケンスの１つであり、クイックレリーズが装置に押し付けられて、アセンブリをセンタリングしながら、安全構成部品と遠隔にある調整ナットとがそれぞれのドロップアウト凹部から押し出されるところを示す断面図である。
【図１３】一方の部材が安全構成部品であり、他方の部材が車輪取り外し中にクイックレリーズの力を伝達してスキュアをセンタリング保持する、２部品装置を有する第２の好ましい実施形態を示す。車輪の取り外し操作を示すシーケンスの１つであり、車輪ハブがドロップアウトから取り外されたところを示す断面図である。
【図１４】一方の部材が安全構成部品であり、他方の部材が車輪取り外し中にクイックレリーズの力を伝達してスキュアをセンタリング保持する、２部品装置を有する第２の好ましい実施形態を示す。２部品装置の細部断面図である。
【図１５】一方の部材が安全構成部品であり、他方の部材が車輪取り外し中にクイックレリーズの力を伝達してスキュアをセンタリング保持する、２部品装置を有する第２の好ましい実施形態を示す。車輪取り外し中にスキュアをセンタリングするためのドロップアウト凹部スライド領域を有するドロップアウトを示す側面図である。
【図１６】図９と同じ２部材安全装置を有するが、車輪取り外しのためにクイックレリーズとナットとの間を広げるための回転を必要としない単一大スロー（large throw）クイックレリーズを有する、変更形の第２の好ましい実施形態を示す。車輪取り外しのシーケンスの１つであり、クイックレリーズがロックされ前輪ハブが乗車位置にあるところを示す断面図である。
【図１７】図９と同じ２部材安全装置を有するが、車輪取り外しのためにクイックレリーズとナットとの間を広げるための回転を必要としない単一大スロークイックレリーズを有する、変更形の第２の好ましい実施形態を示す。車輪取り外しのシーケンスの１つであり、クイックレリーズがロック解除位置にあるがハブを外すことができないところを示す断面図である。
【図１８】図９と同じ２部材安全装置を有するが、車輪取り外しのためにクイックレリーズとナットとの間を広げるための回転を必要としない単一大スロークイックレリーズを有する、変更形の第２の好ましい実施形態を示す。車輪取り外しのシーケンスの１つであり、クイックレリーズが装置に押し付けられて、アセンブリをセンタリングしながら、安全構成部品と遠隔にある回転不可能ナットとがそれぞれのドロップアウト凹部から押し出されるところを示す断面図である。
【図１９】図９と同じ２部材安全装置を有するが、車輪取り外しのためにクイックレリーズとナットとの間を広げるための回転を必要としない単一大スロークイックレリーズを有する、変更形の第２の好ましい実施形態を示す。車輪取り外しのシーケンスの１つであり、車輪ハブがドロップアウトから取り外されたところを示す断面図である。
【図２０】一方の部材が安全構成部品であり、他方の部材が車輪取り外し中にクイックレリーズの力を伝達してスキュアをセンタリング保持する２部品装置を有する、第３の好ましい実施形態を示す。車輪の取り外し操作を示すシーケンスの１つであり、クイックレリーズがロックされ前輪ハブが乗車位置にあるところを示す断面図である。
【図２１】一方の部材が安全構成部品であり、他方の部材が車輪取り外し中にクイックレリーズの力を伝達してスキュアをセンタリング保持する２部品装置を有する、第３の好ましい実施形態を示す。車輪の取り外し操作を示すシーケンスの１つであり、クイックレリーズがロック解除位置にあるがハブを外すことができないところを示す断面図である。
【図２２】一方の部材が安全構成部品であり、他方の部材が車輪取り外し中にクイックレリーズの力を伝達してスキュアをセンタリング保持する２部品装置を有する、第３の好ましい実施形態を示す。車輪の取り外し操作を示すシーケンスの１つであり、クイックレリーズを回転させて「スロー」を増大させるとともにスキュアの調整ナットを緩めてあるところを示す断面図である。この状態ではハブをまだ外すことができない。
【図２３】一方の部材が安全構成部品であり、他方の部材が車輪取り外し中にクイックレリーズの力を伝達してスキュアをセンタリング保持する２部品装置を有する、第３の好ましい実施形態を示す。車輪の取り外し操作を示すシーケンスの１つであり、クイックレリーズが装置に押し付けられて、アセンブリをセンタリングしながら、安全構成部品と遠隔にある調整ナットとがそれぞれのドロップアウト凹部から押し出されるところを示す断面図である。
【図２４】一方の部材が安全構成部品であり、他方の部材が車輪取り外し中にクイックレリーズの力を伝達してスキュアをセンタリング保持する２部品装置を有する、第３の好ましい実施形態を示す。車輪の取り外し操作を示すシーケンスの１つであり、車輪ハブがドロップアウトから取り外されたところを示す断面図である。
【図２５】一方の部材が安全構成部品であり、他方の部材が車輪取り外し中にクイックレリーズの力を伝達してスキュアをセンタリング保持する２部品装置を有する、第３の好ましい実施形態を示す。安全乗車位置にある装置の細部断面図である。
【図２６】一方の部材が安全構成部品であり、他方の部材が車輪取り外し中にクイックレリーズの力を伝達してスキュアをセンタリング保持する、２部品装置を有する第３の好ましい実施形態を示す。車輪取り外し位置にある安全装置の細部断面図である。
【図２７】一方の部材が安全構成部品であり、他方の部材が車輪取り外し中にクイックレリーズの力を伝達してスキュアをセンタリング保持する２部品装置を有する、第３の好ましい実施形態を示す。上記の実施形態とともに用いることができる従来のドロップアウトを示す側面図である。
【図２８】車輪取り外しのためにクイックレリーズのロック解除及び軸方向押圧のみを必要とする、歯車駆動システムを備える２部材安全装置を有する、第４の好ましい実施形態を示す。クイックレリーズは、車輪取り外しのために回転を必要としない単一大スロークイックレリーズである。車輪取り外しを示すシーケンスの１つであり、クイックレリーズがロックされ前輪ハブが乗車位置にあるところを示す断面図である。
【図２９】車輪取り外しのためにクイックレリーズのロック解除及び軸方向押圧のみを必要とする、歯車駆動システムを備える２部材安全装置を有する、第４の好ましい実施形態を示す。クイックレリーズは、車輪取り外しのために回転を必要としない単一大スロークイックレリーズである。車輪取り外しを示すシーケンスの１つであり、クイックレリーズがロック解除位置にあるがハブを外すことができないところを示す断面図である。
【図３０】車輪取り外しのためにクイックレリーズのロック解除及び軸方向押圧のみを必要とする、歯車駆動システムを備える２部材安全装置を有する、第４の好ましい実施形態を示す。クイックレリーズは、車輪取り外しのために回転を必要としない単一大スロークイックレリーズである。車輪取り外しを示すシーケンスの１つであり、クイックレリーズが内方に押圧されて、安全装置と遠隔の回転不可能ナットとをそれぞれのドロップアウト凹部から出すところを示す断面図である。
【図３１】車輪取り外しのためにクイックレリーズのロック解除及び軸方向押圧のみを必要とする、歯車駆動システムを備える２部材安全装置を有する、第４の好ましい実施形態を示す。クイックレリーズは、車輪取り外しのために回転を必要としない単一大スロークイックレリーズである。車輪取り外しを示すシーケンスの１つであり、車輪ハブがドロップアウトから取り外されたところを示す断面図である。
【図３２】車輪取り外しのためにクイックレリーズのロック解除及び軸方向押圧のみを必要とする、歯車駆動システムを備える２部材安全装置を有する、第４の好ましい実施形態を示す。クイックレリーズは、車輪取り外しのために回転を必要としない単一大スロークイックレリーズである。車輪取り外し中にスキュアをセンタリングするためのドロップアウト凹部スライド領域を有するドロップアウトを示す側面図であり、歯車アセンブリも示す。
【図３３】車輪取り外しのためにクイックレリーズのロック解除及び軸方向押圧のみを必要とする、歯車駆動システムを備える２部材安全装置を有する、第４の好ましい実施形態を示す。クイックレリーズは、車輪取り外しのために回転を必要としない単一大スロークイックレリーズである。安全乗車位置にある安全装置の細部断面図である。
【図３４】車輪取り外しのためにクイックレリーズのロック解除及び軸方向押圧のみを必要とする、歯車駆動システムを備える２部材安全装置を有する、第４の好ましい実施形態を示す。クイックレリーズは、車輪取り外しのために回転を必要としない単一大スロークイックレリーズである。車輪取り外し位置にある安全装置の細部断面図である。
【図３５】ドロップアウトの内側にある凹部及び車輪ハブの凹部に収まる安全装置を有する、第５の好ましい実施形態を示す。車輪取り外しには、クイックレリーズのロック解除、回転、及び軸方向押圧が必要であり、クイックレリーズを回転させてもスキュアは回転しない。シーケンスの１つであり、クイックレリーズがロックされ前輪ハブが乗車位置にあるところを示す断面図である。
【図３６】ドロップアウトの内側にある凹部及び車輪ハブの凹部に収まる安全装置を有する、第５の好ましい実施形態を示す。車輪取り外しには、クイックレリーズのロック解除、回転、及び軸方向押圧が必要であり、クイックレリーズを回転させてもスキュアは回転しない。シーケンスの１つであり、クイックレリーズがロック解除位置にあるがハブを外すことができないところを示す断面図である。
【図３７】ドロップアウトの内側にある凹部及び車輪ハブの凹部に収まる安全装置を有する、第５の好ましい実施形態を示す。車輪取り外しには、クイックレリーズのロック解除、回転、及び軸方向押圧が必要であり、クイックレリーズを回転させてもスキュアは回転しない。シーケンスの１つであり、クイックレリーズを回転させて「スロー」を増大させるとともにスキュアのクイックレリーズカムを緩めてあるところを示す断面図である。この状態ではハブをまだ外すことができない。
【図３８】ドロップアウトの内側にある凹部及び車輪ハブの凹部に収まる安全装置を有する、第５の好ましい実施形態を示す。車輪取り外しには、クイックレリーズのロック解除、回転、及び軸方向押圧が必要であり、クイックレリーズを回転させてもスキュアは回転しない。シーケンスの１つであり、クイックレリーズが内方に押圧されて、安全装置と遠隔の回転不可能ナットとをそれぞれのドロップアウト凹部から出すところを示す断面図である。
【図３９】ドロップアウトの内側にある凹部及び車輪ハブの凹部に収まる安全装置を有する、第５の好ましい実施形態を示す。車輪取り外しには、クイックレリーズのロック解除、回転、及び軸方向押圧が必要であり、クイックレリーズを回転させてもスキュアは回転しない。シーケンスの１つであり、車輪ハブがドロップアウトから取り外されたところを示す断面図である。
【図４０】ドロップアウトの内側にある凹部及び車輪ハブの凹部に収まる安全装置を有する、第５の好ましい実施形態を示す。車輪取り外しには、クイックレリーズのロック解除、回転、及び軸方向押圧が必要であり、クイックレリーズを回転させてもスキュアは回転しない。内側凹面及び外側凹面と、車輪を再装着したときに自動的に固定位置になるように非回転ナット及び安全装置を片側に移動させるランプシステムとを有するドロップアウトを示す断面図である。両方のドロップアウトが、車輪を自転車の両側にクイックレリーズで取り付けることができるようになっている。
【図４１】スプリット又はダブルドロップアウトの凹部に収まる安全装置を有する、第６の好ましい実施形態を示す。車輪取り外しには、クイックレリーズのロック解除、回転、及び軸方向押圧が必要であり、クイックレリーズを回転させてもスキュアは回転しない。車輪取り外しを示すシーケンスの１つであり、クイックレリーズがロックされ前輪ハブが乗車位置にあるところを示す断面図である。
【図４２】スプリット又はダブルドロップアウトの凹部に収まる安全装置を有する、第６の好ましい実施形態を示す。車輪取り外しには、クイックレリーズのロック解除、回転、及び軸方向押圧が必要であり、クイックレリーズを回転させてもスキュアは回転しない。車輪取り外しを示すシーケンスの１つであり、クイックレリーズがロック解除位置にあるがハブを外すことができないところを示す断面図である。
【図４３】スプリット又はダブルドロップアウトの凹部に収まる安全装置を有する、第６の好ましい実施形態を示す。車輪取り外しには、クイックレリーズのロック解除、回転、及び軸方向押圧が必要であり、クイックレリーズを回転させてもスキュアは回転しない。車輪取り外しを示すシーケンスの１つであり、クイックレリーズを回転させて「スロー」を増大させるとともにスキュアのクイックレリーズカムを緩めてあるところを示す断面図である。この状態ではハブをまだ外すことができない。
【図４４】スプリット又はダブルドロップアウトの凹部に収まる安全装置を有する、第６の好ましい実施形態を示す。車輪取り外しには、クイックレリーズのロック解除、回転、及び軸方向押圧が必要であり、クイックレリーズを回転させてもスキュアは回転しない。車輪取り外しを示すシーケンスの１つであり、クイックレリーズが内方に押圧されて、安全装置と遠隔の回転不可能ナットとをそれぞれのドロップアウト凹部から出すところを示す断面図である。
【図４５】スプリット又はダブルドロップアウトの凹部に収まる安全装置を有する、第６の好ましい実施形態を示す。車輪取り外しには、クイックレリーズのロック解除、回転、及び軸方向押圧が必要であり、クイックレリーズを回転させてもスキュアは回転しない。車輪取り外しを示すシーケンスの１つであり、車輪ハブがドロップアウトから取り外されたところを示す断面図である。
【図４６】スプリット又はダブルドロップアウトの凹部に収まる安全装置を有する、第６の好ましい実施形態を示す。車輪取り外しには、クイックレリーズのロック解除、回転、及び軸方向押圧が必要であり、クイックレリーズを回転させてもスキュアは回転しない。安全装置用の空洞及び車輪取り外し中に安全装置が移動する溝路を有するスプリット又はダブルドロップアウトを示す側面図である。
【図４７】車輪ハブがフォークに自動的に装着される２部品クレードルを有する広スロークイックレリーズを示すシーケンスの１つであり、外側クレードル及び調整ナットがドロップアウトランプによって広げられているところを示す断面図である。
【図４８】車輪ハブがフォークに自動的に装着される２部品クレードルを有する広スロークイックレリーズを示すシーケンスの１つであり、クレードル及び調整ナットがフォークドロップアウトランプによって広げられ、続いてドロップアウト突出面の上に位置するところを示す断面図である。
【図４９】車輪ハブがフォークに自動的に装着される２部品クレードルを有する広スロークイックレリーズを示すシーケンスの１つであり、クレードル及び調整ナットがドロップアウト凹部内に嵌まることによって二次保持システムと自動的に係合したところを示す断面図である。
【図５０】車輪ハブがフォークに自動的に装着される２部品クレードルを有する広スロークイックレリーズを示すシーケンスの１つであり、クイックレリーズが締結されアセンブリが乗車位置にあるところを示す断面図である。
【図５１】外方に細くなる円錐ばねを有するクレードル機構の拡大断面図である。
【図５２】図５１と同様であるが内方に細くなる円錐ばねを有するクレードル機構の拡大断面図である。
【図５３】図４７〜図５０に見られるのと同じ広スロークイックレリーズシステムの車輪取り外しを示すシーケンスの１つを示し、図５０と同じであり、車輪が乗車位置にあるところを示す。
【図５４】図４７〜図５０に見られるのと同じ広スロークイックレリーズシステムの車輪取り外しを示すシーケンスの１つを示し、図４９と同じであり、クイックレリーズアームが反転されて主ロックを解放したが、ハブがまだ二次保持システムによって所定位置に保持されているところ示す。
【図５５】図４７〜図５０に見られるのと同じ広スロークイックレリーズシステムの車輪取り外しを示すシーケンスの１つを示し、２部品クレードルが合わせて握られてスキュアがセンタリングのために内方に押されるため、調整ナット及びクレードルがドロップアウト拘束面を離れることができるところを示す断面図である。
【図５６】図４７〜図５０に見られるのと同じ広スロークイックレリーズシステムの車輪取り外しを示すシーケンスの１つを示し、２部品クレードルが合わせて握られたままハブがドロップアウトから取り外されるところを示す断面図である。
【図５７】斜縁付き広スロークイックレリーズの上面図、端面図、側面図、及び斜視図を示し、「椀」形のクレードル面も示す。
【図５８】「ハーフパイプ」クレードルを用いる平坦縁付き広スロークイックレリーズの端面図、上面図、及び斜視図を示す。
【図５９】標準的な「ハーフパイプ」クレードル、運動抵抗ばね（movement resistant spring）、及びスキュアの断面を示す。
【図６０】非回転クレードルを示す斜視図である。
【図６１】非回転クレードルを示す別の斜視図である。
【図６２】二次保持システムと自動的に係合して車輪の装着を容易にするためのランプ及びベベルを有する凹部を備えるドロップアウトの斜視図である。
【図６３】図６２のドロップアウトと同じように機能する、無凹部ドロップアウトの斜視図である。
【図６４】各種の調整ナット及びカウンタロックシステムを示し、プラスチックカバー及びロックナットを有する調整ナットの部分断面図である。
【図６５】各種の調整ナット及びカウンタロックシステムを示し、単一材料調整ナット及びロックナットの部分断面図である。
【図６６】各種の調整ナット及びカウンタロックシステムを示し、工具締結式カウンタロックナットを有する調整ナットの断面図である。
【図６７】各種の調整ナット及びカウンタロックシステムを示し、滑り嵌めロックナット及び止めねじを有する調整ナットの断面図である。
【図６８】Ｎｙｌｏｃｋ振れ止めを有する標準的な調整ナットの断面図である。
【図６９】調整端ナットを有するクイックレリーズアセンブリの断面図である。
【図７０】一体スキュア端を有するスキュアと、調整可能な広スロークイックレリーズレバー端とを示すクイックレリーズアセンブリの断面図である。
【図７１】傾斜フォークを備える自転車及び他の自転車用の車両ルーフラック取り付けシステムを示し、新規の自転車ラック上に自転車が載った自動車の側面図である。
【図７２】傾斜フォークを備える自転車及び他の自転車用の車両ルーフラック取り付けシステムを示し、クイックレリーズが締結位置にあり自転車搬送の準備ができているところを示す、フロントフォーク取り付けシステムの断面図である。
【図７３】傾斜フォークを備える自転車及び他の自転車用の車両ルーフラック取り付けシステムを示し、クイックレリーズが反転されて自転車が取り外されたところを示す、フロントフォーク取り付けシステムの断面図である。
【図７４】傾斜フォークを備える自転車及び他の自転車用の車両ルーフラック取り付けシステムを示し、未装着前輪用のホルダを示す断面図である。
【図７５】クイックレリーズがロック解除されてから二次保持システムを解除するために内方に押される、車輪固定システムを示すシーケンスの１つであり、機構がロックされた乗車位置にあるところを示す断面図である。
【図７６】クイックレリーズがロック解除されてから二次保持システムを解除するために内方に押される、車輪固定システムを示すシーケンスの１つであり、クイックレリーズが反転されてロック解除されたところを示す断面図である。
【図７７】クイックレリーズがロック解除されてから二次保持システムを解除するために内方に押される、車輪固定システムを示すシーケンスの１つであり、スキュアが内方に押されて、インボードクレードルの一部をドロップアウト凹部から持ち上げるとともに調整ナットをドロップアウトから押し出すところを示す断面図である。
【図７８】クイックレリーズがロック解除されてから二次保持システムを解除するために内方に押される、車輪固定システムを示すシーケンスの１つであり、インボードクレードルの内側部品がドロップアウト凹部に沿って摺動して出ながらシステムがドロップアウトを離れるところを示す断面図である。
【図７９】図７５に示すクレードルの詳細である。
【図８０】図７７及び図７８に示すクレードルの詳細である。
【図８１】クイックレリーズを内方に押してから回すことによって二次保持システムが解除される、車輪固定システムの一部を示すシーケンスの１つであり、機構がロックされた乗車位置にあるところを示す断面図である。
【図８２】クイックレリーズを内方に押してから回すことによって二次保持システムが解除される、車輪固定システムの一部を示すシーケンスの１つであり、クイックレリーズが反転されてロック解除されたところを示す断面図である。
【図８３】クイックレリーズを内方に押してから回すことによって二次保持システムが解除される、車輪固定システムの一部を示すシーケンスの１つであり、クイックレリーズ及びスキュアが内方に押されたところを示す断面図である。
【図８４】クイックレリーズを内方に押してから回すことによって二次保持システムが解除される、車輪固定システムの一部を示すシーケンスの１つであり、クイックレリーズ及びスキュアが回されて、インボードクレードルの外側部品を持ち上げてドロップアウト凹部から出すことで車輪取り外しの準備ができたところを示す断面図である。持ち上げ切欠部を有するインボードクレードルの外側部品の外観図も示す。
【図８５】回転抵抗スキュア、軸、アウトボードクレードル、及びカム軸を示す断面図である。
【図８６】非平坦インボードドロップアウト傾斜ハブ取り付け隆起部を有するドロップアウトを示し、ドロップアウト傾斜面を示すインボード側の斜視図である。
【図８７】非平坦インボードドロップアウト傾斜ハブ取り付け隆起部を有するドロップアウトを示し、標準的な凹部を有するアウトボード側の側面図である。
【図８８】非平坦インボードドロップアウト傾斜ハブ取り付け隆起部を有するドロップアウトを示し、ドロップアウト傾斜面を有するインボード側の側面図である。
【図８９】逆回転止めキャッチシステムを有する回動ノブを備える回転抵抗スキュアを示す断面図である。
【図９０】逆回転止め装置を示す側面図である。
【図９１】回動ノブ及び回転抵抗装置を有する回転抵抗スキュアの断面図である。
【図９２】高摩擦面を示す回動ノブの下面図である。
【図９３】ばね付勢式玉軸受の位置を示すドロップアウトの側面図である。
【図９４】ドロップアウトの代わりにハブに傾斜取り付け隆起部がある、回転抵抗スキュア及び回動ノブを示す断面図である。
【図９５】アウトボード面に標準的な凹部及び広スロークイックレリーズがない、インボード傾斜取り付け隆起部を有するドロップアウトを示す断面図である。
【図９６】二次車輪保持システムがドロップアウト／ハブ／クイックレリーズ領域にない、新規の車輪保持・ブレーキ係合システムシーケンスの１つを示し、アセンブリが乗車位置にある、リム及びタイヤが断面図で示されているブレーキ・二次保持システムの側面図である。
【図９７】二次車輪保持システムがドロップアウト／ハブ／クイックレリーズ領域にない、新規の車輪保持・ブレーキ係合システムシーケンスの１つを示し、ブレーキケーブルレリーズシステムが手動で開かれて開位置に保持されている、リム及びタイヤが断面図で示されているブレーキ・二次保持システムの側面図である。
【図９８】二次車輪保持システムがドロップアウト／ハブ／クイックレリーズ領域にない、新規の車輪保持・ブレーキ係合システムシーケンスの１つを示し、ブレーキケーブルレリーズシステムが手動で開かれて開位置に保持されることで車輪を取り外すことが可能になる、リム及びタイヤが断面図で示されているブレーキ・二次保持システムの側面図である。
【図１】
0005198749.tif 000002
【図２】
0005198749.tif 000003
【図３】
0005198749.tif 000004
【図４】
0005198749.tif 000005
【図５】
0005198749.tif 000006
【図６】
0005198749.tif 000007
【図７】
0005198749.tif 000008
【図８】
0005198749.tif 000009
【図９】
0005198749.tif 000010
【図１０】
0005198749.tif 000011
【図１１】
0005198749.tif 000012
【図１２】
0005198749.tif 000013
【図１３】
0005198749.tif 000014
【図１４】
0005198749.tif 000015
【図１５】
0005198749.tif 000016
【図１６】
0005198749.tif 000017
【図１７】
0005198749.tif 000018
【図１８】
0005198749.tif 000019
【図１９】
0005198749.tif 000020
【図２０】
0005198749.tif 000021
【図２１】
0005198749.tif 000022
【図２２】
0005198749.tif 000023
【図２３】
0005198749.tif 000024
【図２４】
0005198749.tif 000025
【図２５】
0005198749.tif 000026
【図２６】
0005198749.tif 000027
【図２７】
0005198749.tif 000028
【図２８】
0005198749.tif 000029
【図２９】
0005198749.tif 000030
【図３０】
0005198749.tif 000031
【図３１】
0005198749.tif 000032
【図３２】
0005198749.tif 000033
【図３３】
0005198749.tif 000034
【図３４】
0005198749.tif 000035
【図３５】
0005198749.tif 000036
【図３６】
0005198749.tif 000037
【図３７】
0005198749.tif 000038
【図３８】
0005198749.tif 000039
【図３９】
0005198749.tif 000040
【図４０】
0005198749.tif 000041
【図４１】
0005198749.tif 000042
【図４２】
0005198749.tif 000043
【図４３】
0005198749.tif 000044
【図４４】
0005198749.tif 000045
【図４５】
0005198749.tif 000046
【図４６】
0005198749.tif 000047
【図４７】
0005198749.tif 000048
【図４８】
0005198749.tif 000049
【図４９】
0005198749.tif 000050
【図５０】
0005198749.tif 000051
【図５１】
0005198749.tif 000052
【図５２】
0005198749.tif 000053
【図５３】
0005198749.tif 000054
【図５４】
0005198749.tif 000055
【図５５】
0005198749.tif 000056
【図５６】
0005198749.tif 000057
【図５７】
0005198749.tif 000058
【図５８】
0005198749.tif 000059
【図５９】
0005198749.tif 000060
【図６０】
0005198749.tif 000061
【図６１】
0005198749.tif 000062
【図６２】
0005198749.tif 000063
【図６３】
0005198749.tif 000064
【図６４】
0005198749.tif 000065
【図６５】
0005198749.tif 000066
【図６６】
0005198749.tif 000067
【図６７】
0005198749.tif 000068
【図６８】
0005198749.tif 000069
【図６９】
0005198749.tif 000070
【図７０】
0005198749.tif 000071
【図７１】
0005198749.tif 000072
【図７２】
0005198749.tif 000073
【図７３】
0005198749.tif 000074
【図７４】
0005198749.tif 000075
【図７５】
0005198749.tif 000076
【図７６】
0005198749.tif 000077
【図７７】
0005198749.tif 000078
【図７８】
0005198749.tif 000079
【図７９】
0005198749.tif 000080
【図８０】
0005198749.tif 000081
【図８１】
0005198749.tif 000082
【図８２】
0005198749.tif 000083
【図８３】
0005198749.tif 000084
【図８４】
0005198749.tif 000085
【図８５】
0005198749.tif 000086
【図８６】
0005198749.tif 000087
【図８７】
0005198749.tif 000088
【図８８】
0005198749.tif 000089
【図８９】
0005198749.tif 000090
【図９０】
0005198749.tif 000091
【図９１】
0005198749.tif 000092
【図９２】
0005198749.tif 000093
【図９３】
0005198749.tif 000094
【図９４】
0005198749.tif 000095
【図９５】
0005198749.tif 000096
【図９６】
0005198749.tif 000097
【図９７】
0005198749.tif 000098
【図９８】
0005198749.tif 000099